(57)【特許請求の範囲】
【請求項１】
通信により提供される課金サービスで使用するカード型記憶媒体において、
課金サービスで使用し、データ項目識別子により識別されるデータ項目を、少なくとも一つ以上格納するデータ項目記憶エリアと、
少なくとも、課金サービスを識別するための課金サービス識別子と、前記データ項目識別子と、前記データ項目の格納位置を示す格納位置情報とで構成される課金サービス毎のデータ項目管理情報を、少なくとも一つ以上格納するデータ項目管理情報記憶エリアと、を備えることを特徴とする料金徴収システムのカード型記憶媒体。
【請求項２】
前記データ項目は前記データ項目記憶エリアの同じアドレスに格納されるか、或いは異なるアドレスに格納されることを特徴とする請求項１記載の料金徴収システムのカード型記憶媒体。
【請求項３】
前記カード型記憶媒体を使用する課金サービスは、路上に設置された路上機と車両に設置されたカード処理装置との間の無線通信により提供されることを特徴とする請求項１記載の料金徴収システムのカード型記憶媒体。
【請求項４】
前記カード型記憶媒体は、接触式ICカードで構成されていることを特徴とする請求項１記載の料金徴収システムのカード型記憶媒体。
【請求項５】
前記カード型記憶媒体は、非接触式ICカードで構成されていることを特徴とする請求項１記載の料金徴収システムのカード型記憶媒体。
【請求項６】
通信により提供される課金サービスで使用するカード処理装置において、
前記カード処理装置のデータ項目記憶エリアと、
前記カード処理装置のデータ項目管理テーブル記憶エリアと、
カード型記憶媒体のデータ項目記憶エリアから、課金サービスで使用し、データ項目識別子により識別されるデータ項目を読み出して前記カード処理装置のデータ項目記憶エリアに一時記憶し、カード型記憶媒体のデータ項目管理情報記憶エリアから、少なくとも、課金サービスを識別するための課金サービス識別子と、前記データ項目識別子と、前記カード型記憶媒体における前記データ項目の前記データ項目記憶エリアでの格納位置を示す格納位置情報とで構成されるデータ項目管理情報を読み出し、データ項目管理情報に対応したデータ項目管理テーブルを前記データ項目管理テーブル記憶エリアに一時記憶する情報制御手段と、を備えることを特徴とする料金徴収システムのカード処理装置。
【請求項７】
路上に設置された路上機と車両に設置されたカード処理装置との間の無線通信により提供される課金サービスで使用するカード処理装置において、
前記カード処理装置のデータ項目記憶エリアと、
前記カード処理装置のデータ項目管理テーブル記憶エリアと、
カード型記憶媒体のデータ項目記憶エリアから、課金サービスで使用し、データ項目識別子により識別されるデータ項目を読み出して前記カード処理装置のデータ項目記憶エリアに一時記憶し、カード型記憶媒体のデータ項目管理情報記憶エリアから、少なくとも、課金サービスを識別するための課金サービス識別子と、前記データ項目識別子と、前記カード型記憶媒体における前記データ項目の前記データ項目記憶エリアでの格納位置を示す格納位置情報とで構成されるデータ項目管理情報を読み出し、データ項目管理情報に対応したデータ項目管理テーブルを前記データ項目管理テーブル記憶エリアに一時記憶する情報制御手段と、を備えることを特徴とする料金徴収システムのカード処理装置。
【請求項８】
前記データ項目管理テーブルは、少なくとも、課金サービスを識別するための課金サービス識別子と、データ項目を識別するためのデータ項目識別子と、データ項目のカード型記憶媒体におけるデータ項目記憶エリアでの格納位置を示す格納位置情報と、データ項目のカード処理装置におけるデータ項目記憶エリアでの記憶位置と、で構成されることを特徴とする請求項６または７のいずれかに記載の料金徴収システムのカード処理装置。
【請求項９】
前記データ項目管理テーブルの構成要素のうち、課金サービスを識別するための課金サービス識別子と、前記データ項目を識別するためのデータ項目識別子と、データ項目の前記カード処理装置におけるデータ項目記憶エリアでの記憶位置とを参照することにより、前記カード処理装置におけるデータ項目記憶エリアに一時記憶されたデータ項目へのアクセスを可能とする情報制御手段を備えることを特徴とする請求項６または７のいずれかに記載の料金徴収システムのカード処理装置。
【請求項１０】
前記データ項目管理テーブルの構成要素のうち、課金サービスを識別するための課金サービス識別子と、前記データ項目を識別するためのデータ項目識別子と、データ項目の前記カード型記憶媒体におけるデータ項目記憶エリアでの格納位置を示す格納位置情報とを参照することにより、前記カード型記憶媒体におけるデータ項目記憶エリアに格納されたデータ項目へのアクセスを可能とする情報制御手段を備えることを特徴とする請求項６または７のいずれかに記載の料金徴収システムのカード処理装置。
【請求項１１】
前記カード処理装置のデータ項目記憶エリアに記憶され、課金サービスで使用した少なくとも一つ以上のデータ項目を、前記カード型記憶媒体のデータ項目記憶エリアにおけるデータ項目の格納位置に書き込む情報制御手段を備えることを特徴とする請求項６または７のいずれかに記載の料金徴収システムのカード処理装置。
【請求項１２】
通信により提供される課金サービスで使用するカード処理装置において、
前記カード処理装置のデータ項目管理テーブル記憶エリアと、
カード型記憶媒体のデータ項目管理情報記憶エリアから、少なくとも、課金サービスを識別するための課金サービス識別子と、課金サービスで使用するデータ項目を識別するためのデータ項目識別子と、カード型記憶媒体におけるデータ項目のデータ項目記憶エリアでの格納位置を示す格納位置情報とで構成されるカード型記憶媒体におけるデータ項目管理情報を読み出して前記データ項目管理テーブル記憶エリアに一時記憶する情報制御手段と、を備えることを特徴とする料金徴収システムのカード処理装置。
【請求項１３】
路上に設置された路上機と車両に設置されたカード処理装置との間の無線通信により提供される課金サービスで使用するカード処理装置において、
前記カード処理装置のデータ項目管理テーブル記憶エリアと、
カード型記憶媒体のデータ項目管理情報記憶エリアから、少なくとも、課金サービスを識別するための課金サービス識別子と、課金サービスで使用するデータ項目を識別するためのデータ項目識別子と、カード型記憶媒体におけるデータ項目のデータ項目記憶エリアでの格納位置を示す格納位置情報とで構成されるカード型記憶媒体におけるデータ項目管理情報を読み出して前記データ項目管理テーブル記憶エリアに一時記憶する情報制御手段と、を備えることを特徴とする料金徴収システムのカード処理装置。
【請求項１４】
前記データ項目管理情報を構成する、課金サービスを識別するための課金サービス識別子と、課金サービスで使用するデータ項目を識別するためのデータ項目識別子と、カード型記憶媒体におけるデータ項目の格納位置を示す格納位置情報とを参照することにより、前記カード型記憶媒体に格納されたデータ項目へのアクセスを可能とする情報制御手段を備えることを特徴とする請求項１２または１３のいずれかに記載の料金徴収システムのカード処理装置。
【発明の詳細な説明】
【０００１】
【発明の属する技術分野】
本発明は、通信により提供される課金サービスにおいて、課金サービスを利用するための情報やサービス利用者の決済に関わる情報を格納したカード型記憶媒体と、それを処理するためのカード処理装置の情報の管理方法に関する。
【０００２】
【従来の技術】
近年、ＩＣカードの出現により、カード型記憶媒体の主流は従来の磁気カードからＩＣカードに移行しつつある。ＩＣカードは磁気カードに比べ、その記憶容量やセキュリティの面において優れているため、将来的には単一のアプリケーション専用カードではなくマルチアプリケーションカードが今後の主流になると思われる。
この場合、ＭＵＬＴＯＳカードのように同一ＩＣカード内に全く異なるアプリケーションが存在し、ファイアウォールによって完全に独立性が保たれるＩＣカードが特に主流になるといわれている。
【０００３】
一方、渋滞緩和、利用者サービスの向上、運用コスト削減等の目的から、高度道路交通システム（Ｉｎｔｅｌｌｉｇｅｎｔ  Ｔｒａｎｓｐｏｒｔ  Ｓｙｓｔｅｍｓ：ＩＴＳ）の実現に向けて開発が行われている。このＩＴＳの一環として、路上に設置された路上機と車両に設置されたカード処理装置との間で路車間通信を行い、利用料金を徴収する料金徴収システムが検討されている。
利用者から料金を徴収するための媒体としてはＩＣカードの利用が考えられており、従来のクレジットカード等と同等の決済機能を持つＩＣカードをカード処理装置に装着することで、利用者は従来のクレジットカード、プリペイドカードと同じように料金を支払うことができる。
更に将来的には、同じ料金徴収システムにおいて、利用形態や料金徴収方法の異なる複数の課金サービスが提供されることも考えられる。
【０００４】
【発明が解決しようとする課題】
図７は料金徴収システムにおいて提供される二つの課金サービスと各サービスで使用するデータ項目との関係を示した例である。データ項目には、二つのサービスに対し、データ項目１やデータ項目４のように同じデータ項目であるが異なる値を取り扱うもの、データ項目２やデータ項目３のように同じデータ項目であり且つ同じ値を取り扱うもの、データ項目５のようにサービス１でのみ取り扱うもの等がある。
以上のような関係の根拠は、料金徴収システムで提供される課金サービスにおいて、例えば複数のサービスを同じ団体が運営する場合には、利用明細のデータは一つにまとめられるかもしれないし、サービスを運営する団体が複数の場合、例えば契約情報は、それぞれのサービスで必要になるなど、様々なケースが考えられるためである。
料金徴収システムで提供される課金サービスにおいて、複数のサービスを利用するに当たっては、各サービス毎にＩＣカードを用意するよりも一枚のＩＣカード内に複数のサービスを利用するためのデータが格納され、一枚のＩＣカードと一台のカード処理装置で全てのサービスの利用処理が可能であることが望ましい。
【０００５】
しかしながら、このような料金徴収システムで提供される複数の課金サービスは、サービス間でデータを共有するという場合もあり、サービスで用いるデータを、サービス毎に完全に独立させる必然性はない。
もし、一枚のＩＣカードに複数のサービスを利用するためのデータ項目をサービス毎に区切って格納する場合、例えば図７では、サービス１とサービス２とで各々必要とするデータ項目を分けてＩＣカード内に格納したときに、同じデータ項目で同じ値を取り扱うデータ項目２やデータ項目３を各サービスでそれぞれ格納することになる。更に、例えばサービス１を利用し、使用するデータ項目３の内容を書き換える場合、データ項目３はサービス１及びサービス２に対して同じ値でなければならないため、サービス１のデータ項目３に対してだけではなくサービス２のデータ項目３に対しても書き換え作業が発生する。
このようなことは、同じ値のデータをＩＣカード内のデータ項目に対して書き換える作業の二度手間になり、通信処理時間の長さに影響するだけではなく、ＩＣカード内に同じ値を持つデータ項目を複数持つことは、限られたＩＣカード内の記憶容量も圧迫することになる。特に同じＩＣカードで取り扱うサービスの数が多ければ多いほど、その影響は大きくなる。
【０００６】
本発明での目的は、上記問題を解決し、一枚のＩＣカードと一台のカード処理装置を用いて、料金徴収形態の異なる複数のサービスも効率よく利用可能なシステムを提供することにある。
【０００７】
【課題を解決するための手段】
上記目的を達成するため、通信により課金を行う料金徴収システムで使用するカード型記憶媒体において、課金サービスで使用し、データ項目識別子により識別されるデータ項目を、少なくとも一つ以上格納するデータ項目記憶エリアと、少なくとも、課金サービスを識別するための課金サービス識別子と、前記データ項目識別子と、前記データ項目の格納位置を示す格納位置情報とで構成される課金サービス毎のデータ項目管理情報を、少なくとも一つ以上格納するデータ項目管理情報記憶エリアとを設けた。
【０００８】
また、通信により課金を行う料金徴収システムで使用するカード処理装置において、データ項目記憶エリアと、データ項目管理テーブル記憶エリアと、カード型記憶媒体のデータ項目記憶エリアから、課金サービスで使用し、データ項目識別子により識別されるデータ項目を全て読み出して前記カード処理装置のデータ項目記憶エリアに一時記憶し、カード型記憶媒体のデータ項目管理情報記憶エリアから、少なくとも、課金サービスを識別するための課金サービス識別子と、前記データ項目識別子と、前記カード型記憶媒体における前記データ項目の前記データ項目記憶エリアでの格納位置を示す格納位置情報とで構成されるデータ項目管理情報を全て読み出し、データ項目管理情報に対応したデータ項目管理テーブルを前記データ項目管理テーブル記憶エリアに一時記憶する情報制御手段とを設けた
。
【０００９】
更に、前記データ項目管理テーブルの構成要素のうち、課金サービスを識別するための課金サービス識別子と、データ項目を識別するためのデータ項目識別子と、データ項目の前記カード処理装置のデータ項目記憶エリアでの記憶位置とを参照することにより、前記カード処理装置のデータ項目記憶エリアに一時記憶されたデータ項目へのアクセスを可能とする情報制御手段を設け、前記データ項目管理テーブルの構成要素のうち、課金サービスを識別するための課金サービス識別子と、データ項目を識別するためのデータ項目識別子と、データ項目の前記カード型記憶媒体のデータ項目記憶エリアでの格納位置を示す格納位置情報とを参照することにより、カード型記憶媒体のデータ項目記憶エリアに格納されたデータ項目へのアクセスを可能とする情報制御手段を設けた。
【００１０】
【発明の実施の形態】
図１は本発明による料金徴収システムのカード処理装置及びカード型記憶媒体の第一の実施例の全体構成を示すブロック図である。
１はカード処理装置、２はカード型記憶媒体、３はアンテナ、４は通信制御部、５は情報制御部、６はカードＩ／Ｆ、７は一時記憶メモリ、８はデータ項目管理テーブル、９はデータ項目、１０はカード型記憶媒体側のＩ／Ｆ、１１はカード側制御部、１２は記憶メモリ、１３はデータ項目管理情報、１４はデータ項目である。
【００１１】
次に各部の説明をする。カード処理装置１は利用料金を徴収する課金サービスを利用するため車両に搭載される。
カード型記憶媒体２には、データ項目、即ち利用者の決済に関わる情報や課金サービスに使用する情報が格納される。
アンテナ３は、路上の路上機と通信するためのアンテナであり、通信制御部４は、無線で路車間通信するための通信制御を行う。
情報制御部５は、カード処理装置１内でのデータの全体制御を行う。
カードＩ／Ｆ６はカード型記憶媒体２とのインターフェイスを構成する。
【００１２】
一時記憶メモリ７はカード処理装置１がカード型記憶媒体２から読み込んだデータを一時記憶するための揮発性メモリであり、サービスの利用が終了すると電源供給が終了して記憶内容を消去する。
データ項目管理テーブル８は、課金サービスを識別するための課金サービス識別子と、課金サービスで使用するデータ項目を識別するためのデータ項目識別子と、データ項目のカード型記憶媒体２での格納位置を示す格納位置情報と、データ項目の一時記憶メモリ７での記憶位置を示す情報とで構成され、課金サービス毎に存在する。
データ項目９は、課金サービスで使用する少なくとも一つ以上のデータ項目であり、データ項目はデータ項目識別子により識別される。
Ｉ／Ｆ１０はカード型記憶媒体２におけるカード処理装置１に対するインターフェイスを構成する。
カード側制御部１１はカード型記憶媒体２内部の制御を行う。
記憶メモリ１２は、課金サービスを利用する際に必要なデータ項目管理情報１３及びデータ項目１４を格納するメモリである。
データ項目管理情報１３は、課金サービスを識別するための課金サービス識別子と、課金サービスで使用するデータ項目を識別するためのデータ項目識別子と、そのデータ項目の格納位置を示す格納位置情報とで構成され、課金サービス毎に存在する。この格納位置情報は、確実に格納位置を示すものであれば何でもよく、例えばＩＳＯ７８１６−４で定義される、ファイル識別子やレコード番号や、或いはファイル識別子とレコード番号の組み合わせであってもよい。
データ項目１４は、課金サービスで使用する少なくとも一つ以上のデータ項目であり、データ項目はデータ項目識別子により識別される。更にデータ項目は、少なくとも一つ以上の記憶エリアに記憶され、記憶エリアは例えば、ＩＳＯ７８１６−４で定義される基礎ファイルであってもよい。  続いて全体動作の説明をする。
カード処理装置１にカード型記憶媒体２が装着され、カード型記憶媒体２からのデータ読み込みが可能の状態になると、カード処理装置１はカード型記憶媒体２からデータ項目管理情報１３を全て読み出し、一時記憶メモリ７に一時記憶する。
次に、カード処理装置１はカード型記憶媒体２からデータ項目１４を全て読み出して、一時記憶メモリ７にデータ項目９として一時記憶する。ここで、一時記憶メモリ７にデータ項目９を一時記憶するのは、サービスを利用する際の、カード処理装置１と路上機との間の通信時間の短縮が目的である。
更に、カード処理装置１がデータ項目１４を読み出す際に、データ項目毎にその先頭位置を指し示すポインタを生成し、一時記憶メモリ７に記憶したデータ項目管理情報１３で示されるデータ項目に対応して付加し、データ項目管理テーブル８として、一時記憶メモリ７に記憶する。
このデータ項目管理テーブル８を生成する手順を図８にフロー図として示す。
続いてカード処理装置１の一時記憶メモリ７に記憶されたデータ項目９のデータ項目にアクセスする手順、及びカード型記憶媒体２の記憶メモリ１２に格納されたデータ項目１４のデータ項目にアクセスする手順を説明するために、具体的に課金サービスのデータ項目を設定する。
【００１３】
図２はカード型記憶媒体２に格納された課金サービスを利用するために必要なデータの配置を示し、図１における記憶メモリ１２の内部に格納されるデータの一例である。本実施例では二つのサービスを利用する場合の例とする。
図２においては１５、１６、１７で分けられる三つの記憶エリアが示される。ここで記憶エリアを三つに分けたのは、例えば格納するデータのアクセスに対する属性や性質などにより分けられるものであり、可能であれば一つの記憶エリアに全てのデータを格納しても構わない。
ここでは、記憶エリアを基礎ファイルと定義し、説明を行う。
【００１４】
基礎ファイルは、個々に識別可能なレコード列であり、外部からのアクセスに対してはレコード単位でアクセスされる。また、基礎ファイルはファイル識別子で識別される。このとき、ファイル識別子とレコード番号の組み合わせ指定によりアクセスするものとする。
課金サービスで使用する情報は、その属性によりデータ項目という単位で分類し、一つのデータ項目は一つのレコードに格納されているものとする。
データ項目には、二つのサービスで同じ値を共有するものや、二つのサービスで使用するが各々異なるデータを取り扱うもの、一方のサービスでは使用するが、他方のサービスでは使用しないもの等がある。
【００１５】
続いて各部の説明をする。１２はカード型記憶媒体２内の記憶メモリである。１５はファイル識別子＝１の基礎ファイル、１６はファイル識別子＝２の基礎ファイル、１７はファイル識別子＝３の基礎ファイルであり、基礎ファイル１５は図１におけるデータ項目管理情報１３に相当し、基礎ファイル１６及び１７は図１におけるデータ項目１４に相当する。
【００１６】
１８は基礎ファイル１５内にあるレコード番号１のレコードであり、サービス１のサービス識別子、データ項目数、データ項目数分のデータ項目リストを格納する。
更に各データ項目リストは、データ項目識別子、ファイル識別子、レコード番号で構成される。
１９は基礎ファイル１５内にあるレコード番号２のレコードであり、レコード１８と同様にサービス２のサービス識別子、データ項目数、データ項目数分のデータ項目リストを格納する。
２０は基礎ファイル１６内にあるレコード番号１のレコードであり、サービス１のデータ項目１を格納する。
２１は基礎ファイル１６内にあるレコード番号２のレコードであり、サービス２のデータ項目１を格納する。
２２は基礎ファイル１７内にあるレコード番号１のレコードであり、サービス１及びサービス２共通で用いるデータ項目２を格納する。
２３は基礎ファイル１７内にあるレコード番号２のレコードであり、サービス１及びサービス２共通で用いるデータ項目３を格納する。
２４は基礎ファイル１７内にあるレコード番号３のレコードであり、サービス１のデータ項目４を格納する。
２５は基礎ファイル１７内にあるレコード番号４のレコードであり、サービス２のデータ項目４を格納する。
２６は基礎ファイル１７内にあるレコード番号５のレコードであり、サービス１のデータ項目５を格納する。
【００１７】
図３は、カード処理装置１がカード型記憶媒体２からデータ項目管理情報１３を読み込んだときに生成できる管理テーブルであり、データ項目管理情報１３は図２における基礎ファイル１５のレコード１８及び１９とした場合であり、サービス１及びサービス２について管理テーブルは生成される。データ項目の格納位置を示す格納位置情報は、ファイル識別子とレコード番号の組み合わせで示される。
【００１８】
図４は、カード処理装置１がカード型記憶媒体２からデータ項目１４を読み込むときにデータ項目単位で生成されるポインタを、カード処理装置１がカード型記憶媒体２から、データ項目管理情報１３を読み込んだときに生成できる管理テーブルに付加した管理テーブルであり、図１のデータ項目管理テーブル８に相当する。このときデータ項目１４は、図２における基礎ファイル１６及び基礎ファイル１７のレコード２０〜２６に記録されたデータ項目とし、データ項目管理情報１３は基礎ファイル１５のレコード１８及び１９とした場合とする。
【００１９】
図５は、カード処理装置１がカード型記憶媒体２からデータ項目１４を読み込み、一時記憶メモリ７に記憶したときのイメージ図である。このときデータ項目１４は、図２における基礎ファイル１６及び基礎ファイル１７のレコード２０〜２６に記録されたデータ項目とした場合とする。
【００２０】
以上、図２に示されるデータ項目例を用いた場合に、カード処理装置１の一時記憶メモリ７に記憶されたデータ項目９の所望のデータ項目にアクセスする手順の説明を行う。
サービス１を利用する場合の例を図６に示す。例えばサービス１を利用する際に、路上機からサービス識別子＝１及びアクセスすべきデータ項目の識別子＝３をアンテナ３を通してカード処理装置１が受け取ると、情報制御部３はサービス識別子＝１で示される管理テーブル３０を参照し、更にデータ項目識別子＝３に対応するポインタｐ４を参照することにより、ポインタｐ４で示されるデータ項目６のデータ項目にアクセスすることができる。
【００２１】
次に、カード型記憶媒体２の記憶メモリ１２に格納されたデータ項目１４のデータ項目にアクセスする手順の説明を行う。
例えば、サービス１で使用した、識別子＝３で示されるデータ項目をカード型記憶媒体２に書き戻す際には、情報制御部３はサービス識別子＝１で示される管理テーブル２９を参照し、更にデータ項目識別子＝３に対応するファイル識別子＝２とレコード番号＝２を参照することにより、ファイル識別子＝２とレコード番号＝２で示されるデータ項目１４のデータ項目にアクセスすることができる。
本実施例によれば、カード型記憶媒体２が、カード処理装置１及びカード型記憶媒体２に記憶された、課金サービスで使用するデータ項目を識別するための管理テーブルを生成する情報を含むことにより、利用する課金サービスにおいて、カード処理装置１やカード型記憶媒体２の所望のデータ項目にアクセスすることができる。
【００２２】
即ち、利用する課金サービスを識別するためのサービス識別子とアクセスすべきデータ項目の識別子がカード処理装置外部から指定されれば、データ項目管理テーブル８を参照することにより、一時記憶メモリ７に記憶されたデータ項目９の所望のデータ項目にアクセスすることが可能であり、また、カード型記憶媒体２の記憶メモリ１２に格納されたデータ項目１４の所望のデータ項目にアクセスすることが可能となる。
また、少なくとも二つ以上の課金サービスで値を共有するデータ項目は、カード型記憶媒体２に一つのみを格納すればよいため、そのようなデータ項目へアクセスする作業は一度で済み、カード型記憶媒体２の記憶容量を無駄に圧迫することもない。
【００２３】
尚、本実施例においては、二つのサービスを利用する場合の例であるが、二つ以上のサービスを利用する場合にも同様の手段を用いて実現できる。
【００２４】
また、本実施例においては、路車間通信により提供される課金サービスを想定した例であるが、路車間通信で提供される課金サービスだけではなく、カード処理装置に対する有線通信により提供される様々な課金サービスにおいても、本実施例の構成は適用できる。
【００２５】
このような有線通信により提供される課金サービスで使用する本発明における料金徴収システムのカード処理装置及びカード型記憶媒体の構成の例を示すブロック図が図９である。
図１と異なるのは、図１におけるアンテナ３は無く、通信制御部４は、課金サービスを管理するセンタ３２と接続される。通信制御部４は、図１で示される動作とは異なり、有線で繋がったセンタ３２とのデータ通信制御を行う。その他のブロックで示される動作は、図１で示されるものと同じである。
【００２６】
図１０は本発明による料金徴収システムのカード処理装置及びカード型記憶媒体の第二の実施例の全体構成を示すブロック図である。
１はカード処理装置、２はカード型記憶媒体、３２はセンタ、４は通信制御部、５は情報制御部、６はカードＩ／Ｆ、７は一時記憶メモリ、３３はデータ項目管理情報、１０はカード型記憶媒体側のＩ／Ｆ、１１はカード側制御部、１２は記憶メモリ、１３はデータ項目管理情報、１４はデータ項目である。
【００２７】
次に各部の説明をする。カード処理装置１は利用料金を徴収する課金サービスを利用するため車両に搭載される。
カード型記憶媒体２には、データ項目、即ち利用者の決済に関わる情報や課金サービスに使用する情報が格納される。
センタ３２は、課金サービスを提供し、管理するセンタであり、センタ３２と有線で繋がった通信制御部４は、センタ３２とデータ通信するための通信制御を行う。
【００２８】
情報制御部５は、カード処理装置１内でのデータの全体制御を行う。
カードＩ／Ｆ６はカード型記憶媒体２とのインターフェイスを構成する。
【００２９】
一時記憶メモリ７はカード処理装置１がカード型記憶媒体２から読み込んだデータを一時記憶するための揮発性メモリであり、サービスの利用が終了すると電源供給が終了して記憶内容を消去する。
Ｉ／Ｆ１０はカード型記憶媒体２におけるカード処理装置１に対するインターフェイスを構成する。
カード側制御部１１はカード型記憶媒体２内部の制御を行う。
記憶メモリ１２は、課金サービスを利用する際に必要なデータ項目管理情報１３及びデータ項目１４を格納するメモリである。
【００３０】
データ項目管理情報１３は、課金サービスを識別するための課金サービス識別子と、課金サービスで使用するデータ項目を識別するためのデータ項目識別子と、そのデータ項目の格納位置を示す格納位置情報とで構成され、課金サービス毎に存在する。この格納位置情報は、確実に格納位置を示すものであれば何でもよく、例えばＩＳＯ７８１６−４で定義される、ファイル識別子やレコード番号や、或いはファイル識別子とレコード番号の組み合わせであってもよい。
データ項目１４は、課金サービスで使用する少なくとも一つ以上のデータ項目であり、データ項目はデータ項目識別子により識別される。更にデータ項目は、少なくとも一つ以上の記憶エリアに記憶され、記憶エリアは例えば、ＩＳＯ７８１６−４で定義される基礎ファイルであってもよい。  続いて全体動作の説明をする。
カード処理装置１にカード型記憶媒体２が装着され、カード型記憶媒体２からのデータ読み込みが可能の状態になると、カード処理装置１はカード型記憶媒体２からデータ項目管理情報１３を読み出し、一時記憶メモリ７にデータ項目管理情報３３として一時記憶する。
カード型記憶媒体２から読み出したデータ項目管理情報１３からは、例えば図３で示されるような管理テーブルが生成され、これはデータ項目管理情報３３に相当する。
カード型記憶媒体２のデータ項目１４にアクセスする際には、データ項目管理情報３３に示されるサービス識別子、データ項目識別子、及びデータ項目の格納位置情報（図３の例ではファイル識別子及びレコード番号で示される）を参照することにより、所望のデータ項目へのアクセスが可能となる。
【００３１】
本実施例によれば、カード型記憶媒体２が、カード型記憶媒体２に記憶された、課金サービスで使用するデータ項目を識別するためのデータ項目管理情報を含むことにより、利用する課金サービスにおいて、カード型記憶媒体２の所望のデータ項目にアクセスすることができる。
即ち、利用する課金サービスを識別するためのサービス識別子とアクセスすべきデータ項目の識別子がカード処理装置外部から指定されれば、データ項目管理情報３３を参照することにより、カード型記憶媒体２の記憶メモリ１２に格納されたデータ項目１４の所望のデータ項目にアクセスすることが可能となる。
また、少なくとも二つ以上の課金サービスで値を共有するデータ項目は、カード型記憶媒体２に一つのみを格納すればよいため、そのようなデータ項目へアクセスする作業は一度で済み、カード型記憶媒体２の記憶容量を無駄に圧迫することもない。
【００３２】
尚、本実施例においては、二つのサービスを利用する場合の例であるが、二つ以上のサービスを利用する場合にも同様の手段を用いて実現できる。
また、本実施例においては、カード処理装置に対する有線通信により提供される様々な課金サービスに適用した例であるが、通信制御部４を無線通信のための制御部とし、それに接続されたアンテナを持つことで、路車間通信により提供される課金サービスを想定した例においても、本実施例の構成は適用できる。
【００３３】
【発明の効果】
料金徴収システムにおける課金サービスを利用する際に、課金サービス毎にカード型記憶媒体或いはカード処理装置を用意する必要がなく、一枚のカード型記憶媒体と一台のカード処理装置で課金サービスを利用することが可能となる。
【図面の簡単な説明】
【図１】本発明による料金徴収システムのカード処理装置及びカード型記憶媒体の第一の実施例の全体構成を示すブロック図。
【図２】本発明による料金徴収システムのカード処理装置及びカード型記憶媒体の実施例において、カード型記憶媒体２に格納された課金サービスを利用するために必要なデータの配置を示す図。
【図３】本発明による料金徴収システムのカード処理装置及びカード型記憶媒体の実施例において、カード処理装置１がカード型記憶媒体２からデータ項目管理情報１３を読み込んだときに生成できる管理テーブル。
【図４】本発明による料金徴収システムのカード処理装置及びカード型記憶媒体の実施例において、カード処理装置１がカード型記憶媒体２からデータ項目１４を読み込むときにデータ項目単位で生成されるポインタを、カード処理装置１がカード型記憶媒体２から、データ項目管理情報１３を読み込んだときに生成できる管理テーブルに付加した管理テーブル。
【図５】本発明による料金徴収システムのカード処理装置及びカード型記憶媒体の実施例において、カード処理装置１がカード型記憶媒体２からデータ項目１４を読み込み、一時記憶メモリ７に記憶したときのイメージ図。
【図６】本発明による料金徴収システムのカード処理装置及びカード型記憶媒体の実施例において、サービス識別子＝１且つデータ項目識別子＝３のデータ項目にアクセスするときの参照イメージ。
【図７】二つのサービスと、各サービスで使用するデータ項目との関係を示す図。
【図８】本発明による料金徴収システムのカード処理装置及びカード型記憶媒体の実施例において、データ項目管理テーブル８を生成するときのフロー図。
【図９】本発明による料金徴収システムのカード処理装置及びカード型記憶媒体の第一の実施例において、課金サービスが有線通信により提供される場合の全体構成を示すブロック図。
【図１０】本発明による料金徴収システムのカード処理装置及びカード型記憶媒体の第二の実施例の全体構成を示すブロック図。
【符号の説明】
１・・・カード処理装置、２・・・カード型記憶媒体、３・・・アンテナ、４・・・通信制御部、５・・・情報制御部、６・・・カードＩ／Ｆ、７・・・一時記憶メモリ、８・・・データ項目管理テーブル、９・・・データ項目、１０・・・Ｉ／Ｆ、１１・・・カード側制御部、１２・・・記憶メモリ、１３・・・データ項目管理情報、１４・・・データ項目、１５、１６、１７・・・基礎ファイル、１８、１９、２０、２１、２２、２３、２４、２５、２６・・・レコード、２７・・・データ項目管理情報１４から生成されるサービス１の管理テーブル、２８・・・データ項目管理情報１４から生成されるサービス２の管理テーブル、２９・・・サービス１のデータ項目管理テーブル、３０・・・サービス２のデータ項目管理テーブル、３１・・・データ項目９のイメージ、３２・・・センタ、３３・・・データ項目管理情報。
【図１】
0003555479.tif 000002
【図２】
0003555479.tif 000003
【図３】
0003555479.tif 000004
【図４】
0003555479.tif 000005
【図５】
0003555479.tif 000006
【図６】
0003555479.tif 000007
【図７】
0003555479.tif 000008
【図８】
0003555479.tif 000009
【図９】
0003555479.tif 000010
【図１０】
0003555479.tif 000011